(57)【特許請求の範囲】
【請求項１】
乱視補正レンズスリーブ（１）と、角度調整回転座（１０）と、クリック回転座（２０）と、が接眼位置から順にそれぞれ回動自在に係合された視度補正ファインダ補助具であって、
該乱視補正レンズスリーブ（１）は、乱視補正レンズ（６）を内部に固定装着し、該乱視補正レンズスリーブ（１）の外周に設けられた角度半固定用環溝（１１）に挿入される角度半固定用ボルト（８）によって、接眼側と反対側の角度調整回転座（１０）と半固定状態に係合され、
該角度調整回転座（１０）は、その外周に螺着したクリック停止用ボルト（１２）によって該クリック回転座（２０）のクリック停止環溝（２１）に角度９０°毎にクリック停止できるように係合されることを特徴とする視度補正ファインダ補助具。
【請求項２】
前記角度調整回転座（１０）の開口部外周に螺着した固定ボルト（１３）の締め付けにより係合するクリック回転座（２０）を固定することを特徴とする請求項１に記載の視度補正ファインダ補助具。
【請求項３】
前記クリック回転座（２０）の開口部外周に、光学機器接続用のネジ部（２２）により視度補正アイピース（３０）をさらに付加したことを特徴とする請求項１又は２に記載の視度補正ファインダ補助具。
【発明の詳細な説明】
【技術分野】
【０００１】
本発明は、望遠鏡、双眼鏡、顕微鏡、カメラ、測量器、その他の各種光学機器の接眼部に接続して使用する視度補正ファインダ補助具に関し、特に乱視眼用の視度補正ファインダ補助具に関する。
【背景技術】
【０００２】
従来から、望遠鏡、双眼鏡、顕微鏡、カメラ、測量器、その他の各種光学機器における近視眼や遠視眼のための視度補正用具が存在する。たとえば実開平５−４１２７１号公報（特許文献１）には、光学機器の鏡胴開口部に適用する近視眼あるいは遠視眼までの視度調整を可能にするファインダとして、ヘリカル状の溝により対眼レンズを光軸方向に移動調整するファインダが開示されている。
【特許文献１】実開平５−４１２７１号公報
【発明の開示】
【発明が解決しようとする課題】
【０００３】
前記のように、各種光学機器用のファインダ部分に近視眼または遠視眼用レンズを取り付ける視度補正器具は存在するが、乱視眼に有効な視度補正具はない。乱視眼においては、２種類の度数の違う近視が一つの眼に存在しているため、眼内合焦位置が角膜及び水晶体などの強主経線方向とそれに直角を成す弱主経線方向で違うといった状況が起きている。したがって、乱視補正は各主経線による前焦線及び後焦線に応じて各々が一点と成るように合焦させる必要がある。
【０００４】
本発明は、各種の光学機器にそのままあるいは接続アダプターを使用して簡単に取り付けられる乱視眼用の視度補正ファインダ補助具を提供することを目的とする。
また、本発明の他の目的は、光学機器使用者の近視・遠視および乱視眼程度に応じて度数の違うレンズを容易に取替えセットでき、さらにカメラ等の光学機器においてファインダの覗き姿勢が、横位置、縦位置と頻繁に変わる場合であっても、一旦設定したレンズ合焦角度を容易に追随しそのレンズ合焦角度を保つことができる視度補正ファインダ補助具を提供することである。
【課題を解決するための手段】
【０００５】
本発明の請求項１に記載の視度補正ファインダ補助具は、乱視補正レンズスリーブ（１）と、角度調整回転座（１０）と、クリック回転座（２０）と、が接眼位置から順にそれぞれ回動自在に係合された視度補正ファインダ補助具であって、該乱視補正レンズスリーブ（１）は、乱視補正レンズ（６）を内部に固定装着し、該乱視補正レンズスリーブ（１）の外周に設けられた角度半固定用環溝（１１）に挿入される角度半固定用ボルト（８）によって、接眼側と反対側の角度調整回転座（１０）と半固定状態に係合され、該角度調整回転座（１０）は、その外周に螺着したクリック停止用ボルト（１２）によって該クリック回転座（２０）のクリック停止環溝（２１）に角度９０°毎にクリック停止できるように係合されることを特徴とする。
【０００６】
請求項２に記載の視度補正ファインダ補助具は、請求項１において、前記角度調整回転座（１０）の開口部外周に螺着した固定ボルト（１３）の締め付けにより係合するクリック回転座（２０）を固定することを特徴とする。
【０００７】
請求項３に記載の視度補正ファインダ補助具は、請求項１又は２において、前記クリック回転座（２０）の開口部外周に、光学機器接続用のネジ部（２２）により視度補正アイピース（３０）をさらに付加したことを特徴とする。
【発明の効果】
【０００８】
本発明によれば、各種光学機器における観察者の特に乱視眼の矯正や、近視眼または遠視眼の視度補正ができる。
また、ファインダの覗き姿勢を９０°変化させた場合でも、容易に適正乱視矯正角度を追随して維持できる。
さらに、本発明の視度補正ファインダ補助具は、構造が簡単であり、各種光学機器に直接、あるいは接続アダプターの使用により容易に取り付けることができ、使い勝手がよい。
【発明を実施するための最良の形態】
【０００９】
＜実施の形態１＞
図１は、本発明の実施の形態１にかかる視度補正ファインダ補助具を示す組立て断面図である。
図１に示すように、実施の形態１の視度補正ファインダ補助具Ａは、図１の上方の接眼位置から順に、乱視補正レンズスリーブ１、角度調整回転座１０、クリック回転座２０をそれぞれ回動自在に係合して構成される。
【００１０】
乱視補正レンズスリーブ１は、円筒状の乱視補正レンズスリーブ胴１ａを備え、その接眼側開口部周縁に回転角度表示リング４がリング固定用ボルト５により固定される。
また、乱視補正レンズスリーブ胴１ａの内部には、乱視補正レンズ６がスペーサーリング３を介してレンズ固定リング７により固定装着されている。
乱視補正レンズスリーブ１は、この乱視補正レンズスリーブ胴１ａの他端開口部に螺着した角度半固定用ボルト８により、その下方の角度調整回転座１０に半固定状態に係合される。
【００１１】
すなわち、角度調整回転座１０の接眼側開口部外周には、角度半固定用環溝１１が設けられており、前記乱視補正レンズスリーブ胴１ａの角度半固定用ボルト８の先端が、この角度半固定用環溝１１に挿入され、乱視補正レンズスリーブ１とその下方の角度調整回転座１０とが半固定状態に係合されるのである。
【００１２】
また、角度調整回転座１０は、その外周に螺着したクリック停止用ボルト１２によって該クリック回転座２０のクリック停止環溝２１に角度９０°毎にクリック停止できるように係合されている。
さらに、クリック回転座２０は、必要に応じて角度調整回転座１０をクリック回転座２０に対して回転しないように固定することができる。すなわち、角度調整回転座１０は、接眼側と反対側の他端開口部近傍に設けた固定ボルト１３（図１では直径方向に対向配置した２本を示す）をネジ込み締め付けてクリック回転座２０に固定される。
さらに、クリック回転座２０の他端開口部近傍外周には接続ネジ部２２が設けられ各種光学機器の接眼部（図示せず）にネジ込み接続できるようになっている。
【００１３】
次に、本発明の実施の形態１の視度補正ファインダ補助具Ａの主要構成部品について、図２〜図８を用いてより詳しく説明する。
図２は、乱視補正レンズスリーブ１の構成部品の組み立て構造を説明する斜視図である。各構成部品は、光軸方向（図面では縦方向）に分離して表示してある。
【００１４】
図２に示すように、乱視補正レンズスリーブ胴１ａの接眼側には、その外径を少し小さくしたリングセット段部１ｂが形成されており、リングセット段部１ｂに回転角度表示リング４を挿入して、回転角度表示リング４の側面からリング固定用ボルト５をネジ締めしてリングセット段部１ｂに固定できるようになっている。回転角度表示リング４の上面には、適宜調節した回転角度が把握できるように、等間隔に角度目盛４ａが描かれている。
【００１５】
乱視補正レンズスリーブ胴１ａには、内径をわずか大きくした段状のレンズ支持台２が設けられ、スペーサーリング３を介して乱視補正レンズ６をセットして、上方開口部からレンズ固定リング７をネジ込むことにより、乱視補正レンズ６を内部に固定できるようになっている。レンズ固定リング７の上部には、直径方向に４本の溝である着脱用工具溝７ａ設けられ、この工具溝７ａにレンズ固定リング７を回転させる工具を当接させ、着脱してレンズ交換ができる。
【００１６】
また、乱視補正レンズスリーブ胴１ａの下部にあるネジ穴に螺着する角度半固定用ボルト８は、図４（ａ）に示すような内部構造となっている。すなわち、角度半固定用ボルト８の内部には空洞８ｄが設けられ、空洞８ｄには、スプリング８ａおよび押圧心棒８ｂが内挿されている。
押圧心棒８ｂの先端にはマイナスドライバーの刃のような形状をした半固定刃８ｃが取り付けられ、角度調整回転座１０外周の角度半固定用環溝１１底部の微細溝１４へスプリング弾力により付勢されている。
このように、半固定刃８ｃの先端が微細溝１４の凹部に喰いこみ、角度調整回転座１０の回転に対し、軽い回転抵抗が生じるので、乱視補正レンズスリーブ胴１ａは角度調整回転座１０に対して３６０°回転は出来るが一旦停止すると人手により軽い操作をしない限り振動などによる滑りで回転することはない。
なお、ここで、半固定とは、角度半固定用ボルト８の締め付けを調整（スプリング８ａの付勢力を加減）して、乱視補正レンズスリーブ１を任意の角度位置で角度調整回転座１０に固定する機構をいう。
【００１７】
図３は、角度調整回転座１０の概略構造を説明する斜視図である。角度調整回転座１０の上部開口部１０ｂの近くの外周には、図２で示した乱視補正レンズスリーブ胴体１ａの角度半固定用ボルト８を挿入して係合させるための角度半固定用環溝１１が、周状に設けられているとともに、その底部には縦方向に複数の微細溝１４が設けられている。
【００１８】
角度調整回転座１０の下部の外周にはクリック停止用ボルト１２をネジ込むネジ穴１０ａが設けられている。
図４（ｂ）は、ネジ穴１０ａ（図３に示す）にネジ込むクリック停止用ボルト１２の断面構造を示したものである。クリック停止用ボルト１２の内部も前述した角度半固定用ボルト８と同様、空洞１２ｄが設けられ、空洞１２ｄには、スプリング１２ａおよび押圧心棒１２ｂが内挿されている。押圧心棒１２ｂの先端には、クリックボール１２ｃが取り付けられ、図５に示すクリック回転座２０外周のクリック停止環溝２１の溝底部へスプリング弾力により付勢されている。クリック停止環溝２１の溝底部には、図５において直角に交叉するＸ方向、Ｙ方向位置に、角度９０°間隔で４つのクリック穴２４が設けられている。
【００１９】
角度調整回転座１０を回転させて、クリックボール１２ｃがクリック穴２４位置に合致したときクリックボール１２ｃが穴に落とし込まれ、角度調整回転座１０の回転はスプリング１２ａの付勢力により、その位置で一時的に停止させられる。すなわち、角度調整回転座１０は９０°回転するごとに、一時停止するので、回転角度の９０°変化を容易に感じ取ることができる。クリックボール１２ｃが穴に落とし込まれているので、一旦停止した角度調整回転座１０が振動などで自然に再回転するのを防止することができる。
【００２０】
図５は、クリック回転座２０の構造を説明する斜視図である。クリック回転座２０の上部開口部２０ａの近くの外周には、角度調整回転座１０のクリック停止用ボルト１２を挿入して係合させるためのクリック停止環溝２１が周状に設けられているとともに、その溝底部には角度９０°間隔でクリック穴２４が設けられている。このクリック穴２４に、図４（ｂ）において示したクリックボール１２ｃの一部を落とし込み、角度調整回転座１０の回転をクリック停止させることは先述のとおりである。
また、図５に示すように、クリック回転座２０の外周下部には、直径方向（Ｚ方向）で対向する位置にボルト差込み穴２３が２つ設けられている。このボルト差込み穴２３には、図３に示した固定ボルト１３をネジ込み、必要に応じて角度調整回転座１０をクリック回転座２０に対して回転しないように固定することもができる。
【００２１】
図６は、実施の形態１の視度補正ファインダ補助具Ａを光学機器５０の接眼部に取り付けた状態を示す断面図である。光学機器５０の接眼部に、本実施の形態１の視度補正ファインダ補助具Ａと同径のファインダ接続用ネジ切り部がある場合は、クリック回転座２０の接続ネジ部２２をそのままネジ込むことができるが、接続用ネジ切り部が無い場合は、図６に示す接続アダプター４０を介して光学機器５０に取り付ける。接続アダプター４０には、光学機器５０に固定するための固定ボルト４１が設けられており、光学機器５０の接眼部外径と接続アダプター４０の内径が相違しても、固定ボルト４１のネジ込み代を調節することで、確実に接続固定することができる。なお、接続アダプター４０はいくつかのサイズを用意することで、種々の光学機器５０に適用できるようにする。
【００２２】
次に、本発明の視度補正ファインダ補助具を光学機器５０であるカメラに接続して使用する場合を説明する。まず、クリック回転座２０を、カメラのファインダに、直接装着するか、接続アダプターの取り付け角度を調整して接続アダプター４０を介して装着する。カメラを通常の使用姿勢である横構図（横長方向）に構える場合は、直径方向で対向する一対のクリック穴２４を結ぶ方向（Ｘ−Ｘ又はＹ−Ｙ）を水平にする。したがって他方の一対（Ｙ−Ｙ又はＸ−Ｘ）を結ぶ方向は垂直となる（図５参照）。そして、この状態でファインダを覗き乱視補正レンズスリーブ１を回転させ使用者の適正乱視矯正角度に設定する。
カメラを、横構図から縦構図（縦長方向）に変更する場合は、角度調整回転座１０を掴みクリック位置を９０°回転させることにより、使用者の適正乱視矯正角度を簡単に調整することができる。
再び横構図にして使用する場合は、角度調整回転座１０を掴み９０°回転させ容易に元に戻すことができる。
【００２３】
＜実施の形態２＞
図７は、本発明の実施の形態２にかかる視度補正ファインダ補助具を示す組立て断面図である。図７に示すように、実施の形態２の視度補正ファインダ補助具Ｂは、その大部分が実施の形態２の視度補正ファインダ補助具Ａと同じであるが、クリック回転座２０の下方にさらに視度補正アイピース３０を回転自在に係合して構成される点で相違する。
視度補正アイピースには、近視眼用レンズや遠視眼用レンズなどを組み込んであり、乱視補正レンズスリーブ１中の乱視補正レンズ６による補正と併せて、近視や遠視、斜視眼の双眼使用での光学機器におけるプリズムレンズを用いての両眼視機能の改善も同時に行うことができる。
【００２４】
図８は、視度補正アイピース３０の構造を説明する斜視図である。視度補正アイピース３０の上方の接眼側の開口部には、クリック回転座２０（図７参照）の接続ネジ部２２と接続するための接続雌ネジ部３１が設けられている。
そして、視度補正アイピース３０の胴体内部には、Ｏ―リング３２により封設された視度補正レンズ３３（近視用、遠視用などの矯正レンズ）が組み込まれている。
一方、視度補正アイピース３０の胴体外周には、角度調整回転座１０（図７参照）の外周に設けた角度半固定用環溝１１（図３参照）と、略同形状の角度半固定用環溝３５が設けられている。
また、この角度半固定用環溝３５に図５のようなクリック穴２４を設け、乱視補正レンズスリーブ１ａを直接係合することによりクリック回転座２０の係合を省略することもできる。
【００２５】
以上の説明は、本発明の視度補正ファインダ補助具の説明のために実施の形態の例を記載したに過ぎない。本発明は、乱視補正レンズスリーブと、角度調整回転座と、クリック回転座と、が上から順にそれぞれ回動自在に係合された視度補正ファインダ補助具であって、乱視補正レンズスリーブは、乱視補正レンズを内部に固定装着し、乱視補正レンズスリーブの外周に設けられた角度半固定用環溝に挿入される角度半固定用ボルトによって、その下方の角度調整回転座とが半固定状態に係合され、角度調整回転座は、その外周に螺着したクリック停止用ボルトによってクリック回転座のクリック停止環溝に角度９０°毎にクリック停止できるように係合されたものであることを要旨とする。よって、本発明の技術思想または原理に沿って上述の形態の種々の変更、修正又は追加を行うことは、本発明の技術的範囲に属する。例えば、本発明の視度補正ファインダ補助具は、接眼部が双眼の場合や、レンズでなくプリズムを使った光学機器にも適用される。また、乱視補正レンズに代えて、平面レンズ、偏向フィルター等にも適用可能である。
【産業上の利用可能性】
【００２６】
本発明の視度補正ファインダ補助具によれば、各種光学機器における使用者の乱視眼の補正が簡易にできる。またそれに加え、近視眼または遠視眼の視度補正も併せて簡易にできる。
さらに、ファインダの覗き姿勢を９０°変化させた場合でも、容易に適正乱視補正角度を追随して維持できる。
さらにまた、本発明の視度補正ファインダ補助具は、構造が簡単であり各種光学機器に直接、あるいは接続アダプターの使用により容易に取り付けることが出来る。
【図面の簡単な説明】
【００２７】
【図１】実施の形態１の視度補正ファインダ補助具Ａの組み立て構成断面図である。
【図２】実施の形態１の乱視補正レンズスリーブの構造を説明する斜視図である。
【図３】実施の形態１の角度調整回転座の構造を説明する斜視図である。
【図４】実施の形態１の角度半固定用ボルト、クリック停止用ボルトの構成断面図である。
【図５】実施の形態１のクリック回転座の構造を説明する斜視図である。
【図６】実施の形態１の視度補正ファインダ補助具Ａと光学機器との接続構成断面図である。
【図７】実施の形態２の視度補正ファインダ補助具Ｂと光学機器との接続構成断面図である。
【図８】実施の形態２の視度補正ファインダ補助具Ｂにおける視度補正アイピースの斜視図である。
【符号の説明】
【００２８】
Ａ    ・・・実施の形態１の視度補正ファインダ補助具
Ｂ    ・・・実施の形態２の視度補正ファインダ補助具
１    ・・・乱視補正レンズスリーブ
１ａ  ・・・乱視補正レンズスリーブ胴
１ｂ  ・・・リングセット段部
２    ・・・レンズ支持台
３    ・・・スペーサーリング
４    ・・・回転角度表示リング
４ａ  ・・・角度目盛
５    ・・・リング固定用ボルト
６    ・・・乱視補正レンズ
７    ・・・レンズ固定リング
７ａ  ・・・着脱用工具溝
８    ・・・角度半固定用ボルト
８ａ  ・・・スプリング
８ｂ  ・・・押圧心棒
８ｃ  ・・・半固定刃
８ｄ  ・・・空洞
１０  ・・・角度調整回転座
１０ａ・・・ネジ穴
１０ｂ・・・上部開口部
１１  ・・・角度半固定用環溝
１２  ・・・クリック停止用ボルト
１２ａ・・・スプリング
１２ｂ・・・押圧心棒
１２ｃ・・・クリックボール
１２ｄ・・・空洞
１３  ・・・固定ボルト
１４  ・・・微細溝
２０  ・・・クリック回転座
２０ａ・・・上部開口部
２１  ・・・クリック停止環溝
２２  ・・・接続ネジ部
２３  ・・・差込み穴
２４  ・・・クリック穴
３０  ・・・視度補正アイピース
３１  ・・・接続雌ネジ部
３２  ・・・Ｏ−リング
３３  ・・・視度補正レンズ
３４  ・・・接続ネジ部
３５  ・・・角度半固定用環溝
４０  ・・・接続アダプター
４１  ・・・固定ボルト
５０  ・・・光学機器
【図１】
0004704207.tif 000002
【図２】
0004704207.tif 000003
【図３】
0004704207.tif 000004
【図４】
0004704207.tif 000005
【図５】
0004704207.tif 000006
【図６】
0004704207.tif 000007
【図７】
0004704207.tif 000008
【図８】
0004704207.tif 000009